(57)【特許請求の範囲】
【請求項１】
前端に周側壁で囲まれた角筒形のボックス部を有した端子と、該端子が挿入固定されるコネクタハウジングとを有し、前記コネクタハウジングの端子収容室の内部に、前記端子の挿入方向と交差する方向に可撓性を有すると共に前記ボックス部の周側壁上又はその延長上に設けた係合部と係合する係止部を有したランスが設けられており、前記端子収容室の後端から前記端子が挿入された際に、挿入された端子と摺接することで前記ランスが撓み変形し、所定位置まで前記端子が挿入された段階で、撓み変形から復帰したランスの係止部が前記端子の係合部に係合することにより、前記端子の後方への抜けを阻止するコネクタにおいて、
前記ランスの側部に突片が設けられると共に、前記端子のボックス部の周側壁の幅方向の側縁に、前記端子が端子収容室に挿入された際に、前記ボックス部の周側壁が前記ランスの係止部に摺接する前に前記突片と摺接することで前記ランスを撓ませるリブが設けられていることを特徴とするコネクタ。
【請求項２】
前記リブが、前記端子収容室への前記端子の挿入の向きが適正なとき前記コネクタハウジングに対し非干渉となることで端子の挿入を許可し、且つ、前記端子の挿入の向きが不適正なとき前記コネクタハウジングと干渉することで端子の挿入を阻止する逆挿入防止片として設けられていることを特徴とする請求項１に記載のコネクタ。
【請求項３】
前記リブが、前記端子のボックス部の前端から前記係合部の直前まで連続して設けられており、前記リブの前端角部に、該リブの前記突片への当たりを滑らかにする案内部が設けられると共に、前記リブの後端角部に、該リブと前記突片との摺接を緩やかに解放して、ランスの係止部を端子の係合部へ向けて滑らかに係合させる誘導部が設けられていることを特徴とする請求項１又は２に記載のコネクタ。
【発明の詳細な説明】
【技術分野】
【０００１】
本発明は、前端に角筒形のボックス部を有した端子と、端子が挿入固定されるコネクタハウジングとを有し、コネクタハウジングの端子収容室の内部に可撓性のランスが設けられたコネクタに関するものである。
【背景技術】
【０００２】
この種の端子の一例が特許文献１に記載されている。図３は特許文献１に記載されたコネクタの構成要素である端子の外観斜視図、図４は図３の端子をコネクタハウジングの端子収容室に挿入したときの挿入位置ごとの各状態を示す図である。
【０００３】
図３に示す端子１２０は、前端に周側壁１２１ａで囲まれた角筒形のボックス部１２１を有し、後端に電線の導体接続部１２２と被覆接続部１２３を有している。ボックス部１２１は相手側コネクタのオス端子を受け入れる部分であり、内部に、受け入れたオス端子をボックス部の周側壁１２１ａとの間などに挟持するバネ片（図示略）を備えている。また、ボックス部１２１の前端には折り返しによる凸部１２５が設けられており、その後端に、後述するランスの係合する係合部１２６が設けられている。この凸部１２５の前端は、端子１２０の挿入時に最初にランスに衝突する部分であり、ランスとの当たりを滑らかにするためのアール（Ｒ）が設けられている。
【０００４】
この端子１２０をコネクタハウジングに組み付けてコネクタを構成する場合は、電線の先端に取り付けた端子１２０を、図４（ａ）に示すように、コネクタハウジング１１０の端子収容室１１１に後端から挿入する。コネクタハウジング１１０の端子収容室１１１の内部には、端子１２０の挿入方向と交差する方向（図４において上下方向）に可撓性を有するランス１１６が設けられており、ランス１１６の先端部が、端子１２０の係合部１２６と係合する係止部１１６ｃとなっている。
【０００５】
そして、端子収容室１１１の後端から端子１２０を挿入すると、まず、図４（ａ）の下段に示すように、挿入した端子１２０のボックス部１２１の凸部１２５がランス１１６に当たり、さらに挿入すると、図４（ａ）の上段に示すように、凸部１２５がランス１１６に摺接して、ランス１１６が下方に撓み変形する。さらに挿入して、端子１２０が所定位置まで到達すると、図４（ｂ）の上下段に示すように、凸部１２５がランス１１６の位置を通過し、その段階でランス１１６が撓み変形した状態から元の位置に復帰し、ランス１１６の先端部（係止部）が、端子１２０の凸部１２５の後側の係合部１２６に係合する。これにより、端子１２０が後方へ抜けないように固定される。そして、全部の端子１２０を挿入固定することで、コネクタが構成される。
【先行技術文献】
【特許文献】
【０００６】
【特許文献１】特開２００７−２６６０１１号公報
【発明の概要】
【発明が解決しようとする課題】
【０００７】
ところで、上記従来例のコネクタでは、端子１２０を端子収容室１１１に挿入した際に、ボックス部１２１の周側壁１２１ａに直接ランス１１６の先端部（係止部）が摺接するので、周側壁１２１ａに凸部１２５や凹部（不図示）があるような場合に、挿入フィーリングが悪くなり、挿入抵抗が増すという問題があった。
【０００８】
本発明は、上述した事情に鑑みてなされたものであり、その目的は、ボックス部の周側壁に凹凸があるような場合にも、端子の挿入フィーリングが悪化することがなく、端子の挿入力の低下を図ることのできるコネクタを提供することにある。
【課題を解決するための手段】
【０００９】
本発明の上記目的は、下記の構成により達成される。
（１）  前端に周側壁で囲まれた角筒形のボックス部を有した端子と、該端子が挿入固定されるコネクタハウジングとを有し、前記コネクタハウジングの端子収容室の内部に、前記端子の挿入方向と交差する方向に可撓性を有すると共に前記ボックス部の周側壁上又はその延長上に設けた係合部と係合する係止部を有したランスが設けられており、前記端子収容室の後端から前記端子が挿入された際に、挿入された端子と摺接することで前記ランスが撓み変形し、所定位置まで前記端子が挿入された段階で、撓み変形から復帰したランスの係止部が前記端子の係合部に係合することにより、前記端子の後方への抜けを阻止するコネクタにおいて、
前記ランスの側部に突片が設けられると共に、前記端子のボックス部の周側壁の幅方向の側縁に、前記端子が端子収容室に挿入された際に、前記ボックス部の周側壁が前記ランスの係止部に摺接する前に前記突片と摺接することで前記ランスを撓ませるリブが設けられていることを特徴とするコネクタ。
【００１０】
（２）  前記リブが、前記端子収容室への前記端子の挿入の向きが適正なとき前記コネクタハウジングに対し非干渉となることで端子の挿入を許可し、且つ、前記端子の挿入の向きが不適正なとき前記コネクタハウジングと干渉することで端子の挿入を阻止する逆挿入防止片として設けられていることを特徴とする上記（１）に記載のコネクタ。
【００１１】
（３）  前記リブが、前記端子のボックス部の前端から前記係合部の直前まで連続して設けられており、前記リブの前端角部に、該リブの前記突片への当たりを滑らかにする案内部が設けられると共に、前記リブの後端角部に、該リブと前記突片との摺接を緩やかに解放して、ランスの係止部を端子の係合部へ向けて滑らかに係合させる誘導部が設けられていることを特徴とする上記（１）又は（２）に記載のコネクタ。
【００１２】
上記（１）の構成のコネクタによれば、端子収容室への端子の挿入時に、ランスの側部に設けた突片が端子のリブに摺接し、ランスの係止部が端子のボックス部の周側壁に摺接しないようになっているので、ボックス部の周側壁に凹凸があっても、その影響で端子の挿入フィーリングが悪化することがなく、端子を挿入する際の挿入力の低下を図ることができる。
【００１３】
上記（２）の構成のコネクタによれば、前記リブが端子の逆挿入防止片として設けられているので、端子の逆向き（例えば上下逆向き）の挿入を防止することができる。
【００１４】
上記（３）の構成のコネクタによれば、リブがボックス部の前端から係合部の直前まで連続して設けられており、リブの前端角部に案内部が設けられ、後端角部に誘導部が設けられているので、リブがランスの突片に当たり始めるときの抵抗を案内部の働きによって小さくすることができると共に、ランスの突片が端子のリブとの摺接を終えて、ランスの係止部が端子の係合部に係合するときの動作が誘導部の働きによってスムーズに行われるようになり、端子の挿入フィーリングが向上する。
【発明の効果】
【００１５】
本発明によれば、端子のボックス部の周側壁に凹凸があっても、その影響で端子の挿入フィーリングが悪化することがなく、端子を挿入する際の挿入力の低下を図ることができる。
【図面の簡単な説明】
【００１６】
【図１】本発明の実施形態のコネクタを構成する要素の説明図で、（ａ）は端子の外観斜視図、（ｂ）はコネクタハウジングの端子収容室に設けられているランスの斜視図である。
【図２】同実施形態のコネクタの組立時の作用説明図で、（ａ）はコネクタハウジングの端子収容室に端子を挿入したときの挿入初期の状態を示す概略側断面図、（ｂ）はさらに端子を挿入することで端子のリブがランスの突片に摺接し始めた挿入中期の状態を示す概略側断面図、（ｃ）はさらに端子を挿入することで端子のリブとランスの突片の摺接が終了して端子の係合部にランスの係止部が係合し端子が固定された挿入完了の状態を示す概略側断面図である。
【図３】従来例のコネクタの端子の外観斜視図である。
【図４】図３の端子をコネクタハウジングの端子収容室に挿入したときの挿入位置ごとの状態を示す図で、（ａ）の下段は挿入初期の状態、上段は挿入中期の状態を示す側断面図、（ｂ）の上下段は挿入完了時の状態を示す側断面図である。
【発明を実施するための形態】
【００１７】
以下、本発明の一実施形態を図面を参照して説明する。
図１は実施形態のコネクタを構成する要素の説明図で、（ａ）は端子の外観斜視図、（ｂ）はコネクタハウジングの端子収容室に設けられているランスの斜視図、図２（ａ）〜（ｃ）は同コネクタの組立時の作用説明図である。
【００１８】
実施形態のコネクタは、図１（ａ）に示すように、前端に周側壁２１ａで囲まれた角筒形のボックス部２１を有すると共に後端に電線の導体接続部２２と被覆接続部２３とを有した端子２０と、図２に示すように、後端から端子２０が挿入されて固定される樹脂成形品よりなるコネクタハウジング１０とを具備している。
【００１９】
端子２０の前端のボックス部２１は、相手側コネクタのオス端子を受け入れる部分であり、内部に、受け入れたオス端子をボックス部２１の周側壁２１ａとの間などに挟持するバネ片（図示略）を備えている。
【００２０】
コネクタハウジング１０の端子収容室１１の内部には、端子２０の挿入方向と交差する方向（図２において上下方向）に可撓性を有するランス１６が設けられている。このランス１６は、図１（ｂ）に示すように、後端１６ａが端子収容室１１の内壁に固定され、前端１６ｂが自由端とされたものであり、自由端である前端１６ｂの近傍の端子挿入通路側に、ボックス部２１の周側壁２１ａに設けた係合凹部２６と係合する係止凸部１６ｃを有している。
【００２１】
また、ランス１６の側部には羽根状の突片１６ｅが設けられている。また、端子２０のボックス部２１の周側壁２１ａの幅方向の側縁のうち、端子２０の挿入時にランス１６の突片１６ｅに対応する側縁には、端子２０が端子収容室１１に挿入された際に、ボックス部２１の周側壁２１ａがランス１６の係止凸部１６ｃに摺接する前に、ランス１６の側部に設けた突片１６ｅと摺接することで、ランス１６を撓ませるリブ２５が突設されている。
【００２２】
このリブ２５は、端子２０の逆挿入防止片として設けられており、ボックス部２１の前端から係合凹部２６の直前まで連続して設けられている。この逆挿入防止片としてのリブ２５は、端子収容室１１への端子２０の挿入の向きが適正なとき、コネクタハウジング１０に対し非干渉となることで端子２０の挿入を許可し、且つ、端子２０の挿入の向きが不適正なとき、コネクタハウジング１０と干渉することで端子２０の挿入を阻止する役目を果たす。
【００２３】
このリブ２５の前端角部には、リブ２５の突片１６ｅへの当たりを滑らかにするＲ部よりなる案内部２５ａが設けられている。また、リブ２５の後端角部には、ランス１６の突片１６ｅとの摺接を緩やかに解放して、ランス１６の係止凸部１６ｃを係合凹部２６へ向けて滑らかに係合させる面取部よりなる誘導部２５ｂが設けられている。
【００２４】
この端子２０をコネクタハウジング１０に組み付けてコネクタを構成する場合は、電線の先端に取り付けた端子２０を、図２（ａ）に示すように、コネクタハウジング１０の端子収容室１１に後端から挿入する。ランス１６は、端子収容室１１の後端から端子２０が挿入された際に、挿入された端子２０と摺接することで下方に撓み変形する。
【００２５】
この場合、端子２０のボックス部２１の周側壁２１ａがランス１６の係止凸部１６ｃに接触する前に、端子２０のリブ２５がランス１６の突片１６ｅに当たり、図２（ｂ）に示すように、ボックス部２１の周側壁２１ａとランス１６の係止凸部１６ｃとの間に隙間Ｈを保った状態で、端子２０の挿入に従ってリブ２５と突片１６ｅが摺接する。
【００２６】
そして、さらに端子２０を挿入して所定位置まで到達すると、その段階で、図２（ｃ）に示すように、撓み変形した位置から元の位置にランス１６が復帰し、復帰したランス１６の係止凸部１６ｃが端子２０の係合凹部２６に係合することにより、端子２０が後方へ抜け止め固定される。全数の端子２０を挿入することで、コネクタが構成される。
【００２７】
このように、本実施形態のコネクタでは、端子収容室１１への端子２０の挿入時に、ランス１６の側部に設けた突片１６ｅが端子２０のリブ２５に摺接し、ランス１６の係止凸部１６ｃが端子２０のボックス部２１の周側壁２１ａに隙間Ｈを隔てて摺接しないようになっている。従って、ボックス部２１の周側壁２１ａに凹凸がある場合であっても、その影響で端子２０の挿入フィーリングが悪化することがなく、端子２０を挿入する際の挿入力の低下を図ることができる。
【００２８】
また、リブ２５がボックス部２１の前端から係合凹部２６の直前まで連続して設けられており、リブ２５の前端角部に案内部２５ａが設けられ、後端角部に誘導部２５ｂが設けられているので、リブ２５がランス１６の突片１６ｅに当たり始めるときの抵抗を案内部２５ａの働きによって小さくすることができると共に、ランス１６の突片１６ｅが端子２０のリブ２５との摺接を終えて、ランス１６の係止凸部１６ｃが端子２０の係合凹部２６に係合するときの動作が、誘導部２５ｂの働きによってスムーズに行われるようになり、端子２０の挿入フィーリングが向上する。
【００２９】
また、本実施形態では、リブ２５が端子の逆挿入防止片として設けられているので、端子２０の逆向き（例えば上下逆向き）の挿入を防止することができる。
【００３０】
なお、本発明は、上述した実施形態に限定されるものではなく、適宜な変形、改良、等が可能である。その他、上述した実施形態における各構成要素の材質、形状、寸法、数、配置箇所、等は本発明を達成できるものであれば任意であり、限定されない。
【００３１】
例えば、上記実施形態では、ボックス部２１の周側壁２１上に係合凹部２６が設けられているが、ボックス部２１の後端の段部を係合部としても利用することも可能である。
【符号の説明】
【００３２】
１０  コネクタハウジング
１１  端子収容室
１６  ランス
１６ｃ  係止凸部（係止部）
１６ｅ  突片
２０  端子
２１  ボックス部
２１ａ  周側壁
２５  リブ（逆挿入防止片）
２６  係合凹部（係合部）
【図１】
0005586346.tif 000002
【図２】
0005586346.tif 000003
【図３】
0005586346.tif 000004
【図４】
0005586346.tif 000005